(57)【要約】【課題】本発明は、練習の中で最も危険である打撃練習時、事故率及び重大事故率が最も高い打撃投手を多方向の打球から、身体全体を守るため、防護扉を設置した打撃投手用防護ネットを提供する。【解決手段】打撃投手用防護ネットに左右開閉式防護扉を中央部に設ける事で、打撃投手は打撃練習打者からの打球を、開閉式防護扉が閉じた状態の場合守ってくれる、又扉が開いた状態を極力少なくする事で、事故率及び重大事故率を軽減出来る。  【選択図】図１
2020006073.tif 000002
【特許請求の範囲】
【請求項１】
自動若しくは半自動の開閉式防護扉を中央部に設けさらに前記開閉式防護扉の両側に防護ネットを設けたことを、特徴とする打撃投手用防護ネット。
【請求項２】
赤外線センサーにより打撃投手が投げた球に反応して、自動で防護扉を開閉するようにした請求項１に記載の打撃投手用防護ネット。
【請求項３】
防護扉開閉装置のスイッチを設け、打撃投手が前記スイッチを入れた後に、時間設定通りに防護扉開閉装置が作動することで、防護扉を開閉するようにした請求項１又は２に記載の打撃投手用防護ネット。
【請求項４】
常には扉が閉じており、投球する際だけ左右の扉が開き、投球終了後直ちに左右の扉が閉まるようにした、請求項１から３の何れかに記載の打撃投手用防護ネット。
【請求項５】
常には扉が開いており、投球終了後打ち返された打球が打撃投手に当たる可能性のある数十秒間だけ、左右の扉が閉まり、その後左右の扉は自動的に開くようにした、前掲請求項１から４の何れかに記載の打撃投手用防護ネット。
【発明の詳細な説明】
【技術分野】
【０００１】
本発明は、硬式野球練習時の打撃投手の身体全体を守るための、打撃投手専用防護ネットに関する。
【背景技術】
【０００２】
プロ・アマを問わず、硬式野球の場合、練習時に選手を守る為の防護ネットを必ず使用し、練習時の選手の安全を心掛けているが、非特許文献１には、野球競技における事故例の多くは、打撃練習中の物が多い、この場合圧倒的に打者よりも、打撃投手の事故が多く、重大事故数も打撃投手が多いと明記されている。
【０００３】
非特許文献1には、打撃投手は投球後、必ずL字型ネットの蔭に隠れるようにする。不用意に自分のところへ打ち返された打球の処理をしない事、又打撃投手が疲れてきたら、ネットに隠れる動作が鈍くなる事に留意し、早めの投手交代を心掛けること。
投手と打者との間隔を短くして打撃練習を行うことは、危険が増すことに十分留意することが、明記されている。
【０００４】
打撃投手用防護ネットは、基本的にL字型ネットだけであるので、正面からの打球には対応出来るが、横からの打球の対応が困難で、複数で打撃練習を行う場合が多く、相対している打者の打球だけでなく、複数の打者の打球にも、十分注意する必要があるが、防護ネットを余り多く持っていない、アマチュアチームの場合、L字型ネットの左右に防護ネットを設置することが少ないのが現状である。
【０００５】
打撃投手用L字型防護ネットは、右投げ用・左投げ用の区別をしていないので、L字型防護ネットを左・右投手が交替する度に、反転させて使用しているが、この作業が面倒で時間を要する。
【０００６】
特許文献１には、ピッチャーが投球するやや前方に打球直撃防御フェンス設け、ピッチャーの投球するボールが通過する様に投球窓を設け、投球するボールが投球窓を通過した直後に、投球窓が閉じる様に形成された、打撃練習用ネットが開示されている。
【０００７】
特許文献２には、高速道路ゲート通過装置の、ゲート開閉装置が開示されている。
【０００８】
非特許文献１には、打撃投手は必ず打撃投手用ヘッドギア(以下投手用)を正しく固定し、装着すること。投手用は投手の動作を考慮して、投球時にヘッドギアがずれないようベルトで絞めつけ、固定する仕組みになっている。打者用ヘルメット(以下打者用)を代用すると投球時にずれたり、脱げてしまうこともあり投手は必ず投手用を着用すること。投手用、打者用とも耐用年数は3年とされている。以上のことが開示されている。
【先行技術文献】
【特許文献】
【０００９】
【特許文献１】特開２０００−１２６３５１号公報
【特許文献２】特開２００２−８３３２６号公報
【非特許文献１】PDF高校野球の事故防止対策について
【発明の概要】
【発明が解決しようとする課題】
【００１０】
特許文献１で開示されている打撃練習用ネットは、基本的に従来のL字型投手用ダブルネットを改良したものであり、右腕・左腕の投手が交替する度に、打撃練習用ネットを反転させる必要があり、この部分の解決策が開示されていなかった。
【００１１】
特許文献２で開示されている、高速道路ゲート通過装置の、ゲート開閉装置は、
打撃投手用L字型防護ネットに設置出来る可能性はあるが、設置方法及びデザインに関しては、開示されていない。
【００１２】
非特許文献１に提示されている、打撃投手用ヘッドギアは、頭部への打球に対しての効果は認めるが、頭部以外の打球に対しての効果は無く、この問題に対しての対策が、開示されていない。
本発明は、前記のような従来の問題を解決するものであり、打撃投手用防護ネットを中央部に配する事で、右腕・左腕の打撃投手共に使用出来且つ、常時打撃投手は打撃投手用防護ネットで体全体が守られており、野球競技における事故例の多い打撃練習中の打撃投手の安全確保のための、打撃投手用防護ネットを提供することを目的とする。
【００１３】
本発明は前記のような従来の問題を解決するものであり、練習中の打撃投手の事故を激減させ、且つスムーズな右投げ・左投げ打撃投手交代が可能になる、打撃投手用防護ネットを提供することを目的とする。
【課題を解決するための手段】
【００１４】
本発明に係る打撃投手用防護ネットは、自動若しくは半自動の開閉式防護扉を中央部に設けさらに前記開閉式防護扉の両側に防護ネット袖壁を設けたことを、特徴とする。
【００１５】
本発明に係る打撃投手用防護ネットの第２の特徴は、赤外線センサーにより打撃投手が投げた球に反応して、自動で防護扉を開閉するようにした点にある。
【００１６】
本発明に係る打撃投手用防護ネットの第３の特徴は、防護扉開閉装置のスイッチを設け、打撃投手が前記スイッチを入れた後に、時間設定通りに防護扉開閉装置が作動することで、防護扉を開閉するようにした点にある。
【００１７】
本発明に係る打撃投手用防護ネットの第４の特徴は、常には扉が閉じており、投球する際だけ左右の扉が開き、投球終了後直ちに左右の扉が閉まるようにした点にある。
【００１８】
本発明に係る打撃投手用防護ネットの第５の特徴は、常には扉が開いており、投球終了後打ち返された打球が打撃投手に当たる可能性のある数十秒間だけ、左右の扉が閉まる、その後左右の扉は自動的に開くようにした点にある。
【発明の効果】
【００１９】
本発明の打撃投手用防護ネットは、野球競技における事故例の多くは、打撃練習中の物が多い、この場合圧倒的に打者よりも、打撃投手の事故が多く、重大事故数も打撃投手が多いにも拘らず、L字型ネットを採用し、頭部への打球はヘッドギアを装着する事で保護しているが、打撃投手の身体全体の保護は出来ていない、但し打撃投手用防護ネット採用すれば、打撃投手は常に打撃投手用防護ネットで守られているので、練習中の打撃投手の事故数が激減すると言うことは、野球全体の事故が激減することになる。
【００２０】
本発明品である、打撃投手用防護ネットは、従来のL字型防護ネットのように、右投手・左投手によりL字型防護ネットを反転して使用する必要がないので、練習時間に無駄が無く、スムーズに投手交代が可能になる。
【図面の簡単な説明】
【００２１】
【図１】打撃投手用開閉式防護扉式防護ネットが閉じている時の正面図。
【図２】打撃投手用開閉式防護扉式防護ネットが開いた時の正面図。
【図３】打撃投手用開閉式防護扉式防護ネットを、組み立て式にした場合の、分割図であり、４分割している正面図。
【図４】打撃投手用開閉式防護扉式防護ネットを、組み立て式にした場合の、分割図であり、６分割している正面図。
【図５】打撃投手用防護ネット展開図。
【図６】打撃投手用L字型防護ネット斜視図。
【発明を実施するための形態】
【００２２】
本発明は、打撃投手の身体全体を保護することを目的した物である。図１に示すように、開閉式防護扉が閉じた状態の正面図であり、開閉式防護扉は打撃投手用防護ネットの中央部配する事で、右投手にも左投手にも打撃投手用防護ネットを、反転させること無く、スムーズに交替出来、図１で示すように、打撃投手は打撃投手用防護ネットの中で守られているので、従来の防護ネットと比較して、危険性が少ないので、打撃投手用ヘッドギアを着用する必要性が低くなり、打撃投手の負担が軽減される。
開閉式防護扉の開口サイズや大きさは決められたもので無いが、基本サイズとしては、L字型防護ネットを参考にした場合、高さ1Ｍ×50ｃｍが２扉と考えているが、ジュニア用は小さくなり、扉の大きさも限定した物ではない、それ以外の高さ・巾のサイズも決められたものではない。
図１に示すように、推定サイズ２Ｍ×２Ｍの中に、全自動若しくは半自動の開閉式防護扉及び装置が組み込まれ、一体化しているので、重量的に非常に重くなり、商品化する際には、細分化が必要と考える。
【００２３】
閉式防護扉システムには、開閉に関して２通りの方法があり、観音開き方式と自動扉のようにスライド方式であり、限定されたものではない。
【００２４】
図１は閉式防護扉が閉じた状態であるのに対し、図２に示すように、閉式防護扉が開いた状態の正面図であり、閉式防護扉システムにも２通りの方法があり、投球する際だけ左右の扉が開き、投球終了後直ちに左右の扉が閉まる場合と、常には扉が開いており、投球終了後打ち返された打球が打撃投手に当たる可能性のある数十秒間だけ、左右の扉が閉まる方法であるが、閉式防護扉が開いた状態の正面図であり、打撃投手存在を示した図である。
【００２５】
図３の正面図は、商品化する際に細分化する場合の１例として、４分割した場合の図であり、Ａの土台となる防護ネットの上に、両側にＢの防護ネットを差異込み・組み込み、Ｃは閉式防護扉システムの全自動・半自動をＣの枠の中に組み込み、左右扉・リモコン・コンセント等がセットされている。  
【００２６】
図４の正面図は、商品化する際に細分化する場合の１例として、６分割した場合の図であり、Ａの土台となる防護ネットの上に、Ｃの枠の中に、閉式防護扉システムの全自動・半自動を組み込み、左右扉・リモコン・コンセント等がセットされているＣをＡに差異込み・組み込まれた後、両側の防護ネットとして、左右のＡ´はＡと繋がれており、約９０度打撃投手側に曲がる事が出来るので、横からの打球から打撃投手を守る防護ネットにもなる、又上段防護ネットになるＢは、Ａ´若しくはＣと繋がれており、Ａ´同様に約９０度打撃投手側に曲がる事が出来るので、横からの打球から打撃投手を守る防護ネットにもなるので、Ａ´には脚を設置した。  
【００２７】
図５で示すように、閉式防護扉システムの内開き及び外開きの簡単な平面図である。
【００２８】
図6で示すように、従来の打撃投手用L字型防護ネット斜視図であり、本発明の打撃投手用防護ネットと比較する為に明記した。
【符号の説明】
【００２９】
１  打撃投手用防護ネット土台枠
２  打撃投手用防護ネット袖壁枠
３  打撃投手用防護ネット開閉式扉枠
４  防護ネット
５  打撃投手用防護ネット扉ネット  
６  打撃投手用防護ネット土台脚
７  開閉式扉ドアクローザ
８  打撃投手
【図１】
2020006073.tif 000003
【図２】
2020006073.tif 000004
【図３】
2020006073.tif 000005
【図４】
2020006073.tif 000006
【図５】
2020006073.tif 000007
【図６】
2020006073.tif 000008